(57)【要約】【課題】ゴミの軽量化対策に、スーパーではポリエチレン袋の有料化が検討されエコバックの普及が年々広まっている。よりスムーズなレジ精算を可能にするそのまま置くだけ自立型設計買い物バックを提案する。【解決手段】本考案は市販されているビニールバックに撥水加工ビニールクロス製の袋を重ね合わせ作成することで、側面、底面が強化され、重量物の搬送・自立を可能としたものである。従来のレジかご買い物バックはプラスチックのレジかごのふちにマジックテープやひもで固定したり、布をたらして支える手間のかかるもので、その手間を省くことを可能としたものである。本考案の内側の側面、底面はビニール製なので手入れが簡単で清潔に保つことができ、食品や生モノをいれるエコバックには最適である。また手のひらサイズに折り畳め、持ち手もそのまま利用できるので持ち運びにも便利であり、また外出の際には、持ち手を内側に折り畳むことでバック等の中に入れて持ち歩くことも可能であり、環境にやさしいエコ生活を実践できる。【選択図】図４
0003157360.tif 000002
【実用新案登録請求の範囲】
【請求項１】
市販のビニールバックに撥水加工ビニールクロス製の袋を重ね合わせ重量物の搬送、自立を可能とするよう側面を強化したことを特徴とする買い物バック。
【請求項２】
折り畳んだ後、一方の外側面と他方の外側面のそれぞに固定されて折り畳み状態を維持するストラップを一方の側面に備えた、請求項に記載の買い物バック
【考案の詳細な説明】
【技術分野】
【０００１】  本考案は、レジでの精算の際に、余計な手間を省きそのまま置くだけで使用できる自立型設計の買い物バックに関するものである。
【背景技術】
【０００２】  レジかご袋タイプのエコバックの普及も著しいが、現在流通しているレジかご袋と呼ばれているものは、プラスチックのレジかごのふちにマジックテープや紐で固定したり、四方向に布をたらして支えたりするため、使用時には手間のかかるものであった。
【考案の概要】
【考案が解決しようとする課題】
【０００３】  レジの混雑する場面で持参した買い物袋をレジかごに装着するのは、案外時間がかかりまた面倒である。本考案は、そのまま置くだけで使用できる自立型設計買い物バックにより、前述の課題を解決するものである。
【課題を解決するための手段】
【０００４】  本考案は、市販のビニールバックに撥水加工ビニールクロス製の袋を重ね合わせすることにより底面・側面を強化することで、他の支えなくそのまま自立することにより問題点を解決している。
【考案の効果】
【０００５】  自立型という点では、プラスチック製折りたたみ式のかごもあるが、本考案は、撥水加工ビニールクロス製の袋を使用することにより、使用時の６分の１のサイズまで折り畳むことで持ち運びが容易となり、環境にやさしいエコバックの普及が進む。
【図面の簡単な説明】
【０００６】
【図１】市販のビニールバックの斜視図である。
【図２】撥水加工ビニールクロス製の袋の斜視図である。
【図３】本考案の自立型設計買い物バックの斜視図である
【図４】本考案の自立型設計買い物バックの一実施例を示す斜視図である
【図５】ストラップを取り外した状態の本考案のまちを畳んだ状態を示す正面図である。
【図６】本考案のまちを畳んだ状態に上部１か所にストラップを取り付けた正面図である。
【図７】本考案のまちを畳んだ状態の左部分を折り畳んだ正面図である。
【図８】図７を更に折り畳んだ状態の正面図である。
【図９】図８を更に折り畳んだ状態を示す正面図である。（ａ）は取っ手部分を外部に出し（ｂ）は取っ手部分を内部に入れた状態をそれぞれ示す
【考案を実施するための形態】
【０００７】  図３は、図１で示した市販のビニールバックと図２で示した撥水加工ビニールクロス製の袋を重ね合わせた本考案の自立型買い物バックの図である。
【０００８】  図４は、レジ精算の際、買い物バックをレジかごに納める時の状態を示す斜視図である。
【０００９】  図５は、まちを畳んだ状態を示す正面図で、バックの右面２か所にワンタッチテープが接着されている。バックの右側に示したストラップには折返し部分にそれぞれワンタッチテープが装着してある。
【００１０】  図６は、まちを畳んだ状態のバックの上部のワンタッチテープを接着した状態を示す正面図である。
【００１１】  図７は、まちを畳んだ状態のバック左部分を折り畳んだ状態を示す正面図である。
【００１２】  図８は、図７で折り返した部分をさらに重ね合わせて畳んだ状態を示す正面図である。
【００１３】  図９は、図８で折り畳んだバックの下半分をバックの上部と重ね合わせた状態を示す正面図である。（ａ）は取っ手部分を外部に出した状態（ｂ）は取っ手部分を内部に入れた状態をそれぞれ示す。
【符号の説明】
【００１４】  １  市販のビニールバック
２  プラスチック取っ手
３  撥水加工ビニールクロス製の袋
４  ワンタッチテープ付きストラップ
５  レジかご
６  ワンタッチテープ
【先行技術文献】
【特許文献】
【００１５】
【特許文献１】特開平０９−９００６３号  公報  先行技術で折り畳み買い物バックが開示されている（特許文献１参照）。しかしながら開示された買い物バックでは構造が複雑となる問題であった。
【図１】
0003157360.tif 000003
【図２】
0003157360.tif 000004
【図３】
0003157360.tif 000005
【図４】
0003157360.tif 000006
【図５】
0003157360.tif 000007
【図６】
0003157360.tif 000008
【図７】
0003157360.tif 000009
【図８】
0003157360.tif 000010
【図９】
0003157360.tif 000011
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
市販のビニールバックに撥水加工ビニールクロス製の袋を重ね合わせ重量物の搬送、自立を可能とするよう側面を強化したことを特徴とする買い物バック。
【請求項２】
折り畳んだ後、一方の外側面と他方の外側面のそれぞれに固定されて折り畳み状態を維持するストラップを一方の側面に備えた、請求項１に記載の買い物バック
【手続補正２】
【補正対象書類名】明細書
【補正対象項目名】０００２
【補正方法】変更
【補正の内容】
【０００２】レジかご袋タイプの「エコバック（登録商標）」の普及も著しいが、現在流通しているレジかご袋と呼ばれているものは、プラスチックのレジかごのふちに「マジックテープ（登録商標）」や紐で固定したり、四方向に布をたらして支えたりするため、使用時には手間のかかるものであった。
【手続補正３】
【補正対象書類名】明細書
【補正対象項目名】０００５
【補正方法】変更
【補正の内容】
【０００５】自立型という点では、プラスチック製折りたたみ式のかごもあるが、本考案は、撥水加工ビニールクロス製の袋を使用することにより、使用時の６分の１のサイズまで折り畳むことで持ち運びが容易となり、環境にやさしい「エコバック（登録商標）」の普及が進む。
【手続補正書】
【提出日】平成21年11月9日(2009.11.9)
【手続補正１】
【補正対象書類名】実用新案登録請求の範囲
【補正対象項目名】全文
【補正方法】変更
【補正の内容】
【実用新案登録請求の範囲】
【請求項１】
ビニールバックに撥水加工ビニールクロス製の袋を重ね合わせ重量物の搬送、自立を可能とするよう側面を強化したことを特徴とする買い物バック。